(57)【要約】【課題】コネクタに対するケーブルの斜め挿しを検出する。【解決手段】タイミング制御基板（１０ｂ）は、基板（１１ｂ）に配置されたコネクタ（ＩＮｂ）に対しハーネス（Ｈａｂ）が斜め挿しとなったことを検出する斜め挿し検出回路（１２ｂ）と、斜め挿し検出回路（１２ｂ）が斜め挿しを検出すると、斜め挿しとなったことを報知する斜め挿し検出表示部（１４ｂ）とを備える。【選択図】図１
2017084445.tif 000002
【特許請求の範囲】
【請求項１】
基板と、
上記基板に配置されたコネクタと、
上記コネクタに対しケーブルが斜めに挿し込まれている状態である斜め挿しを検出する斜め挿し検出部と、
上記斜め挿し検出部が上記斜め挿しを検出すると、上記斜め挿しとなったことを報知する第１報知部とを備えることを特徴とする回路基板。
【請求項２】
上記コネクタは、上記ケーブルが挿し込まれたとき、当該ケーブル側の端子と接触する複数の端子を有し、
上記複数の端子は、上記斜め挿しを検出するための互いに隣接する第１端子及び第２端子を有し、
上記ケーブルが挿し込まれたとき上記第１端子は第１判定レベルの電位であり、
上記斜め挿し検出部は、
上記第２端子から上記第１判定レベルとは異なる第２判定レベルの信号を取得することで、上記コネクタに対し上記ケーブルは正常に挿し込まれていることを検出し、
上記第２端子から上記第１判定レベルの信号を取得することで、上記斜め挿しであることを検出することを特徴とする請求項１に記載の回路基板。
【請求項３】
基板と、
上記基板に配置され、ケーブルが挿し込まれたとき当該ケーブル側の端子と接触する複数の端子を有するコネクタと、
上記コネクタに対し上記ケーブルが斜めに挿し込まれている状態である斜め挿しを検出する斜め挿し検出部とを備え、
上記複数の端子は、上記斜め挿しを検出するための互いに隣接する第１端子及び第２端子を有し、
上記ケーブルが挿し込まれたとき上記第１端子は第１判定レベルの電位であり、
上記斜め挿し検出部は、
上記第２端子から上記第１判定レベルとは異なる第２判定レベルの信号を取得することで、上記コネクタに対し上記ケーブルは正常に挿し込まれていることを検出し、
上記第２端子から上記第１判定レベルの信号を取得することで、上記斜め挿しであることを検出することを特徴とする回路基板。
【請求項４】
上記コネクタを複数備え、
上記第１報知部は、上記斜め挿し検出部が上記複数のコネクタのうち少なくとも１つのコネクタが斜め挿しであることを検出すると、上記斜め挿しとなったことを報知することを特徴とする請求項１又は２に記載の回路基板。
【請求項５】
請求項１、２、４の何れか１項に記載の回路基板を複数個と、
上記各回路基板により駆動される表示パネルとを備え、
上記各回路基板において、上記第１報知部は上記基板に配置されていることを特徴とする表示装置。
【請求項６】
請求項３に記載の回路基板を複数個と、
上記各回路基板により駆動される表示パネルとを備えていることを特徴とする表示装置。
【請求項７】
上記複数の回路基板は、それぞれ、上記表示パネルを駆動するための電源供給回路を備え、上記複数の回路基板のうち、１つはマスター回路基板であり、他はスレーブ回路基板であり、
上記マスター回路基板は、さらに、
自己の上記斜め挿し検出部および上記スレーブ回路基板が備える上記斜め挿し検出部の何れも斜め挿しを検出しないか否かを判定し、上記各斜め挿し検出部の何れも斜め挿しを検出しなかった場合、上記各電源供給回路を駆動させ、上記各斜め挿し検出部の何れかが斜め挿しを検出した場合、上記各電源供給回路を駆動させない斜め挿し判定部を備えることを特徴とする請求項５又は６に記載の表示装置。
【請求項８】
請求項７に記載の表示装置を備えることを特徴とするテレビジョン受像機。
【請求項９】
さらに、上記斜め挿し判定部が、上記各斜め挿し検出部の何れかが斜め挿しを検出したと判定すると、上記斜め挿しとなったことをユーザに対して報知する第２報知部を備えることを特徴とする請求項８に記載のテレビジョン受像機。
【発明の詳細な説明】
【技術分野】
【０００１】
本発明は回路基板、表示装置、およびテレビジョン受像機に関する。
【背景技術】
【０００２】
従来から、複数の回路基板間をケーブルで接続することにより、当該複数の回路基板同士を電気的に接続する構成が知られている。
【０００３】
特許文献１には、複数の筐体を、ヒンジ部を介して開閉自在に接続する折り畳み式の携帯端末装置が開示されている。上記携帯端末装置は、第１の筐体と、ヒンジ部により第１の筐体に接続された第２の筐体とを備えている。上記携帯端末装置は、ヒンジ部により、第１の筐体と、第２の筐体とが開閉可能となっている。
【０００４】
第１の筐体は、操作部と、第１の回路基板と、コネクタとを有する。第１の回路基板は、断線を検出するための回路部を有する。第２の筐体は、表示部と、第２の回路基板と、コネクタとを有する。第１の筐体のコネクタと、第２の筐体のコネクタとには、ＦＰＣ（フレキシブルプリント）基板が接続されている。これにより、第１の回路基板と、第２の回路基板とは電気的に接続されている。
【０００５】
ＦＰＣ基板には、断線を検出するための、第１〜第３のダミー線が配置されている。第１〜第３のダミー線は、第１の回路基板が有する回路部と電気的に接続されている。
【０００６】
回路部は、第１〜第３のダミー線の電圧を監視する。当該回路部は、第１〜第３のダミー線の何れかの電圧が所定の範囲外となると、当該電圧が所定の範囲外となったダミー線は断線したことを検出する。
【０００７】
そして、上記携帯端末装置は、回路部が第１〜第３のダミー線の何れかの断線を検出すると、当該ダミー線が断線した旨の警告を、表示部に表示する。
【０００８】
特許文献１によると、これにより、ユーザは、断線を瞬時に把握することができるとされている。
【先行技術文献】
【特許文献】
【０００９】
【特許文献１】特許第５３９５６４０号（２０１３年１０月２５日登録）
【特許文献２】特開２０１０‐５２１６６号公報（２０１０年３月１１日公開）
【発明の概要】
【発明が解決しようとする課題】
【００１０】
ケーブルがコネクタに差し込まれる際、斜めに挿し込まれる場合がある。また、コネクタにケーブルが正常に真っ直ぐ挿し込まれたとしても、製品の搬送過程において振動や衝撃が製品に加わることで、斜めに挿し込まれた状態（以下、斜め挿しと称する）となってしまう場合がある。
【００１１】
コネクタに対し、ケーブルが斜め挿しの場合、コネクタが有する各端子と、ケーブルが有する各端子とが、一対一対応で接続されていない状態であるため、ケーブルからコネクタを通じて、コネクタが配置された回路基板へ正常に信号が出力されない。
【００１２】
特許文献１にて開示された上記携帯端末装置は、ＦＰＣ基板の断線を検出することができても、コネクタに対しＦＰＣ基板が斜め挿しとなっているか否かを検出することができない。
【００１３】
本発明は、上記の問題点に鑑みてなされたものであり、その目的は、コネクタに対するケーブルの斜め挿しを検出することにある。
【課題を解決するための手段】
【００１４】
上記の課題を解決するために、本発明の一態様に係る回路基板は、基板と、上記基板に配置されたコネクタと、上記コネクタに対しケーブルが斜めに挿し込まれている状態である斜め挿しを検出する斜め挿し検出部と、上記斜め挿し検出部が上記斜め挿しを検出すると、上記斜め挿しとなったことを報知する第１報知部とを備えることを特徴とする。
【００１５】
上記の課題を解決するために、本発明の一態様に係る回路基板は、基板と、上記基板に配置され、ケーブルが挿し込まれたとき当該ケーブル側の端子と接触する複数の端子を有するコネクタと、上記コネクタに対し上記ケーブルが斜めに挿し込まれている状態である斜め挿しを検出する斜め挿し検出部とを備え、上記複数の端子は、上記斜め挿しを検出するための互いに隣接する第１端子及び第２端子を有し、上記ケーブルが挿し込まれたとき上記第１端子は第１判定レベルの電位であり、上記斜め挿し検出部は、上記第２端子から上記第１判定レベルとは異なる第２判定レベルの信号を取得することで、上記コネクタに対し上記ケーブルは正常に挿し込まれていることを検出し、上記第２端子から上記第１判定レベルの信号を取得することで、上記斜め挿しであることを検出することを特徴とする。
【発明の効果】
【００１６】
本発明の一態様によれば、コネクタに対するケーブルの斜め挿しを検出するという効果を奏する。
【図面の簡単な説明】
【００１７】
【図１】本発明の実施形態１に係る表示装置の構成を表す図である。
【図２】本発明の実施形態１に係るテレビジョン受像機の概略構成を示す分解斜視図である。
【図３】本発明の実施形態１に係る表示装置の回路基板間を接続するためのコネクタの構成を表す図である。
【図４】（ａ）は上記コネクタにハーネスが正常に接続されているときの複数のピンの様子を表す図であり、（ｂ）は、上記コネクタに対しハーネスが第１の方向に斜めに接続されているときの複数のピンの様子を表す図であり、（ｃ）は、上記コネクタに対しハーネスが第２の方向に斜めに接続されているときの複数のピンの様子を表す図である。
【図５】（ａ）は、図４の（ａ）に示した接続状態におけるコネクタの４ピン〜６ピンの電位と基板接続信号の信号レベルとの関係を表す図であり、（ｂ）は、図４の（ｂ）に示した接続状態におけるコネクタの４ピン〜６ピンの電位と基板接続信号の信号レベルとの関係を表す図であり、（ｃ）は、図４の（ｃ）に示した接続状態におけるコネクタの４ピン〜６ピンの電位と基板接続信号の信号レベルとの関係を表す図である。
【図６】本発明の実施形態１に係る表示装置の回路基板と表示パネルとを接続する複数のコネクタの１つの構成を表す図である。
【図７】本発明の実施形態１に係る表示装置の回路基板と表示パネルとを接続する複数のコネクタの他の１つの構成を表す図である。
【図８】（ａ）は図６に示したコネクタの複数のピンとハーネスの複数のピンとが正常に接続されている様子を表す図であり、（ｂ）は図６に示したコネクタの複数のピンとハーネスの複数のピンとが斜めに接続された場合の８０ピン近傍を表す図であり、（ｃ）は図６に示したコネクタの複数のピンとハーネスの複数のピンとが斜めに接続された場合の１ピン近傍を表す図である。
【図９】本発明の実施形態１に係る表示装置の斜め挿し検出回路のタイミングチャートを表す図である。
【図１０】本発明の実施形態１に係る表示装置の斜め挿し判定回路およびパネル電源供給回路のタイミングチャートを表す図である。
【図１１】本発明の実施形態２に係る表示装置の構成を表す図である。
【図１２】本発明の実施形態２に係るテレビジョン受像機の外観を表す図である。
【発明を実施するための形態】
【００１８】
〔実施形態１〕
（テレビジョン受像機の構成）
図２は、本発明の実施形態１に係るテレビジョン受像機１の概略構成を示す分解斜視図である。
【００１９】
図２に示すように、テレビジョン受像機１は、表示装置２と、表示装置２を収容する背面側キャビネット４と、表示装置２を収容した背面側キャビネットの前面側に取り付けられる額縁状の前面側キャビネット３とを備えている。
【００２０】
表示装置２は、図示しないチューナが受信した映像信号に応じた映像を表示する。本実施形態では、表示装置２として、表示パネル５、複数の表示パネル駆動回路７などを備えた液晶表示装置を用いている。
【００２１】
複数の表示パネル駆動回路７は、表示パネル５に映像を表示させるための種々の回路により構成されている。表示パネル駆動回路７は、矩形形状の表示パネル５における長辺部分に沿って配置された複数のソースドライバと、矩形形状の表示パネル５における短辺部分に沿って配置されたゲートドライバとを含む。
【００２２】
ゲートドライバは、表示パネル５に備えられる各ゲートバスライン（図示せず）に対して走査信号を順次出力する。
【００２３】
複数のソースドライバは、表示パネル５に形成されている各ソースバスライン（図示せず）に対して、ゲートドライバによるゲートバスラインの走査と同期したタイミングで映像データに応じたデータ信号を出力する。これにより、ゲートドライバによって走査されたゲートバスライン上の各画素に対して映像データに応じた電位が印加される。これにより、表示パネル５は、映像データに応じた表示を行う。
【００２４】
なお、本実施形態では、本発明を、表示装置２とチューナとを備えたテレビジョン受像機に適用する場合について説明するが、本発明の適用対象はこれに限るものではない。例えば、本発明は、パソコン用のモニタ、各種録画装置や各種記録媒体等に記録された映像の再生用モニタ等として用いられる表示装置にも適用できる。
【００２５】
また、本実施形態では、表示装置２として液晶表示装置を用いる場合について説明するが、これに限るものではない。表示装置２は、走査信号線を順次走査することにより各画素の駆動タイミングを制御する表示装置であればよく、例えば、有機ＥＬディスプレイやプラズマディスプレイなどを用いてもよい。
【００２６】
（表示装置２の構成の概略）
図１は、本発明の実施形態１に係る表示装置２の構成を表す図である。図１に示すように、表示装置２は、上述した表示パネル５及び表示パネル駆動回路７に加え、複数のタイミング制御基板（回路基板）１０ａ〜１０ｄを有するタイミング制御部１０を備えている。
【００２７】
表示パネル５は、本実施形態では、８Ｋクラスの解像度を有する液晶表示パネルであるものとする。８Ｋは、表示パネル５に配置されたゲートバスラインの延伸方向を水平方向とし、ソースバスラインの延伸方向を垂直方向とした場合、水平方向７６８０画素×垂直方向４３２０画素が配置された解像度を有する。表示パネル５の表示画面は、垂直方向に延伸し、かつ水平方向に沿って並ぶ４つの表示領域に分割されている。
【００２８】
タイミング制御部１０は、図示しないチューナから入力される映像データに基づいて、各種の映像表示用の制御信号を生成する。そして、タイミング制御部１０は、生成した映像表示用の制御信号（ＤＳＰ、ＤＣＫ、ＧＳＰ、ＧＣＫ等）及び表示パネル５を駆動させるためのパネル電源などを表示パネル駆動回路７へ出力する。
【００２９】
タイミング制御部１０は、表示領域が４つに分割されているそれぞれに対応する４つのタイミング制御基板１０ａ〜１０ｄを有する。タイミング制御基板１０ａ〜１０ｄのそれぞれは、表示パネル５において４つに分割された表示領域のうち何れか１つの表示領域の映像の表示制御を行う。このように、表示装置２は、４つのタイミング制御基板１０ａ〜１０ｄを用いて、表示領域が４つに分割された表示パネルの各表示領域の駆動を制御することで、８Ｋクラスの高精細な映像表示を行うことが可能である。
【００３０】
タイミング制御基板１０ａ〜１０ｄは、表示パネル駆動回路７を介して表示パネル５と電気的に接続されていると共に、各タイミング制御基板１０ａ〜１０ｄ同士も電気的に接続されている。タイミング制御基板１０ａ〜１０ｄのうち、タイミング制御基板（マスター回路基板）１０ａは、マスターとして機能し、他のタイミング制御基板（スレーブ回路基板）１０ｂ〜１０ｄはスレーブとして機能する。
【００３１】
タイミング制御基板１０ａは、基板１１ａと、それぞれ基板１１ａに配置された、斜め挿し検出回路（斜め挿し検出部）１２ａと、斜め挿し判定回路（斜め挿し判定部）１３と、斜め挿し検出表示部（第１報知部）１４ａと、パネル電源供給回路（電源供給回路）１５ａと、電源Ｖｃｃ１６ａと、コネクタＩＮａ・Ｏａと、コネクタＦａ１〜Ｆａ１２とを備えている。タイミング制御基板１０ｂは、基板１１ｂと、それぞれ基板１１ｂに配置された、斜め挿し検出回路（斜め挿し検出部）１２ｂと、斜め挿し検出表示部（第１報知部）１４ｂと、パネル電源供給回路（電源供給回路）１５ｂと、電源Ｖｃｃ１６ｂと、コネクタＩＮｂ・Ｏｂと、コネクタＦｂ１〜Ｆｂ１２とを備えている。
【００３２】
タイミング制御基板１０ｃは、基板１１ｃと、それぞれ基板１１ｃに配置された、斜め挿し検出回路（斜め挿し検出部）１２ｃと、斜め挿し検出表示部（第１報知部）１４ｃと、パネル電源供給回路（電源供給回路）１５ｃと、電源Ｖｃｃ１６ｃと、コネクタＩＮｃ・Ｏｃと、コネクタＦｃ１〜Ｆｃ１２とを備えている。タイミング制御基板１０ｄは、基板１１ｄと、それぞれ基板１１ｂに配置された、斜め挿し検出回路（斜め挿し検出部）１２ｄと、斜め挿し検出表示部（第１報知部）１４ｄと、パネル電源供給回路（電源供給回路）１５ｄと、電源Ｖｃｃ１６ｄと、コネクタＩＮｄ・Ｏｄと、コネクタＦｄ１〜Ｆｄ１２とを備えている。
【００３３】
なお、図示しないが、マスターとして機能するタイミング制御基板１０ａは、ＶＣＯＭ（共通電極）駆動用電源、ＤＡＣ（デジタルアナログコンバータ）などを備えている。また、タイミング制御基板１０ａ〜１０ｄは、それぞれ、マスターとして機能するＴＣＯＮ（タイミングコントローラ）と、スレーブとして機能するＴＣＯＮ（タイミングコントローラ）との２つのＴＣＯＮを備えている。
【００３４】
（コネクタＩＮａ・Ｏａ〜ＩＮｄ・Ｏｄ）
コネクタＩＮａ・Ｏａ〜ＩＮｄ・Ｏｄは、フレキシブルプリント基板（ＦＰＣ）や、フレキシブルフラット基板（ＦＦＣ）など、フラットケーブルを挿し込むためのコネクタである。コネクタＩＮａ・Ｏａ〜ＩＮｄ・Ｏｄにフラットケーブルを挿し込むことで、回路基板同士を電気的に接続する。本実施形態では、フラットケーブルとしてハーネス（ケーブル）を用いるものとする。
【００３５】
コネクタＩＮａ・Ｏａは、基板１１ａに配置されている。コネクタＩＮａは、図示しない回路基板からタイミング制御基板１０ａへ入力される各種信号の入力部である。コネクタＩＮａは、複数のピン（端子）を有する。コネクタＩＮａは、図示しないハーネスと接続されることで、図示しない回路基板と接続されている。コネクタＩＮａ及びコネクタＩＮａに接続されたハーネスを介して、図示しない回路基板から、映像データおよび電源電圧などがタイミング制御基板１０ａに入力される。
【００３６】
コネクタＯａは、ハーネスＨａｂを介して、タイミング制御基板１０ａと、タイミング制御基板１０ｂとを電気的に接続するためのコネクタである。コネクタＯａは、複数のピン（端子）を有する。コネクタＯａに、ハーネスＨａｂの一方の端部が挿し込まれると、コネクタＯａに配置された複数のピンと、ハーネスＨａｂの一方の端部に配置された複数のピン（端子）とが接触する。これにより、コネクタＯａと、ハーネスＨａｂとは電気的に接続される。コネクタＯａは、ハーネスＨａｂを介して、タイミング制御基板１０ａから各種の信号を、次段のタイミング制御基板１０ｂへ出力する出力部である。
【００３７】
コネクタＯａに配置された複数のピンのうち少なくとも１つは電源Ｖｃｃ１６ａに接続されている。電源Ｖｃｃ１６ａに接続されたピンから、ハーネスＨａｂを介してタイミング制御基板１０ｂへ、コネクタＯａに対しハーネスＨａｂが斜め挿しされていないか否かを判定するための基板接続信号が出力される。なお、コネクタＯａは、ハーネスＨａｂを介して、タイミング制御基板１０ｂから出力された各種の信号が入力される入力部であってもよい。
【００３８】
コネクタＩＮｂ・Ｏｂは、基板１１ｂに配置されている。コネクタＩＮｂは、ハーネスＨａｂを介して、タイミング制御基板１０ｂと、タイミング制御基板１０ａとを電気的に接続するためのコネクタである。コネクタＩＮｂは、複数のピン（端子）を有する。コネクタＩＮｂに、ハーネスＨａｂの他方の端部が挿し込まれると、コネクタＩＮｂに配置された複数のピンと、ハーネスＨａｂの他方の端部に配置された複数のピン（端子）とが接触する。これにより、コネクタＩＮｂと、ハーネスＨａｂとは電気的に接続される。
【００３９】
コネクタＩＮｂが有する複数のピンは、ハーネスＨａｃがコネクタＩＮｂに対し真っ直ぐ正常に挿し込まれた状態か、コネクタＩＮｂに対し斜めに挿し込まれた状態（斜め挿し）かを判定するための信号である基板接続信号Ｋｂを斜め挿し検出回路１２ｄへ出力するための３つのピン（４ピン〜６ピン）を含む。
【００４０】
コネクタＩＮｂは、ハーネスＨａｂを介して、前段のタイミング制御基板１０ａから各種の信号が入力される入力部である。なお、コネクタＩＮｂは、ハーネスＨａｂを介して、タイミング制御基板１０ａへ各種の信号を出力するための出力部であってもよい。
【００４１】
コネクタＯｂは、ハーネスＨｂｃを介して、タイミング制御基板１０ｂと、タイミング制御基板１０ｃとを電気的に接続するためのコネクタである。コネクタＯｂは、複数のピン（端子）を有する。コネクタＯｂに、ハーネスＨｂｃの一方の端部が挿し込まれると、コネクタＯｂに配置された複数のピンと、ハーネスＨｂｃの一方の端部に配置された複数のピン（端子）とが接触する。これにより、コネクタＯｂと、ハーネスＨｂｃとは電気的に接続される。コネクタＯｂは、ハーネスＨｂｃを介して、タイミング制御基板１０ｂから各種の信号を、次段のタイミング制御基板１０ｃへ出力する出力部である。
【００４２】
コネクタＯｂに配置された複数のピンのうち少なくとも１つは電源Ｖｃｃ１６ｂに接続されている。電源Ｖｃｃ１６ｂに接続されたピンから、ハーネスＨｂｃを介してタイミング制御基板１０ｃへ、コネクタＯｂに対しハーネスＨｂｃが斜め挿しされていないか否かを判定するための基板接続信号が出力される。なお、コネクタＯｂは、ハーネスＨｂｃを介して、タイミング制御基板１０ｃから出力された各種の信号が入力される入力部であってもよい。
【００４３】
コネクタＩＮｃ・Ｏｃは、基板１１ｃに配置されている。コネクタＩＮｃは、ハーネスＨｂｃを介して、タイミング制御基板１０ｃと、タイミング制御基板１０ｂとを電気的に接続するためのコネクタである。コネクタＩＮｃは、複数のピン（端子）を有する。コネクタＩＮｃに、ハーネスＨｂｃの他方の端部が挿し込まれると、コネクタＩＮｃに配置された複数のピンと、ハーネスＨｂｃの他方の端部に配置された複数のピン（端子）とが接触する。これにより、コネクタＩＮｃと、ハーネスＨｂｃとは電気的に接続される。
【００４４】
コネクタＩＮｃが有する複数のピンは、ハーネスＨｂｃがコネクタＩＮｃに対し真っ直ぐ正常に挿し込まれた状態か、コネクタＩＮｃに対し斜めに挿し込まれた状態（斜め挿し）かを判定するための信号である基板接続信号Ｋｃを斜め挿し検出回路１２ｃへ出力するための３つのピン（４ピン〜６ピン）を含む。
【００４５】
コネクタＩＮｃは、ハーネスＨｂｃを介して、前段のタイミング制御基板１０ｂから各種の信号が入力される入力部である。なお、コネクタＩＮｃは、ハーネスＨｂｃを介して、タイミング制御基板１０ｂへ各種の信号を出力するための出力部であってもよい。
【００４６】
コネクタＯｃは、ハーネスＨｃｄを介して、タイミング制御基板１０ｃと、タイミング制御基板１０ｄとを電気的に接続するためのコネクタである。コネクタＯｃは、複数のピン（端子）を有する。コネクタＯｃに、ハーネスＨｃｄの一方の端部が挿し込まれると、コネクタＯｃに配置された複数のピンと、ハーネスＨｃｄの一方の端部に配置された複数のピン（端子）とが接触する。これにより、コネクタＯｃと、ハーネスＨｃｄとは電気的に接続される。コネクタＯｃは、ハーネスＨｃｄを介して、タイミング制御基板１０ｃから各種の信号を、次段のタイミング制御基板１０ｄへ出力する出力部である。
【００４７】
コネクタＯｃに配置された複数のピンのうち少なくとも１つは電源Ｖｃｃ１６ｃに接続されている。電源Ｖｃｃ１６ｃに接続されたピンから、ハーネスＨｃｄを介してタイミング制御基板１０ｄへ、コネクタＯｃに対しハーネスＨｃｄが斜め挿しされていないか否かを判定するための基板接続信号が出力される。なお、コネクタＯｃは、ハーネスＨｃｄを介して、タイミング制御基板１０ｄから出力された各種の信号が入力される入力部であってもよい。
【００４８】
コネクタＩＮｄ・Ｏｄは、基板１１ｄに配置されている。コネクタＩＮｄは、ハーネスＨｃｄを介して、タイミング制御基板１０ｄと、タイミング制御基板１０ｃとを電気的に接続するためのコネクタである。コネクタＩＮｄは、複数のピン（端子）を有する。コネクタＩＮｄに、ハーネスＨｃｄの他方の端部が挿し込まれると、コネクタＩＮｄに配置された複数のピンと、ハーネスＨｃｄの他方の端部に配置された複数のピン（端子）とが接触する。これにより、コネクタＩＮｄと、ハーネスＨｃｄとは電気的に接続される。
【００４９】
コネクタＩＮｄが有する複数のピンは、ハーネスＨｃｄがコネクタＩＮｄに対し真っ直ぐ正常に挿し込まれた状態か、コネクタＩＮｄに対し斜めに挿し込まれた状態（斜め挿し）かを判定するための信号である基板接続信号Ｋｄを斜め挿し検出回路１２ｄへ出力するための３つのピン（４ピン〜６ピン）を含む。
【００５０】
コネクタＩＮｄは、ハーネスＨｃｄを介して、前段のタイミング制御基板１０ｃから各種の信号が入力される入力部である。なお、コネクタＩＮｄは、ハーネスＨｃｄを介して、タイミング制御基板１０ｃへ各種の信号を出力するための出力部であってもよい。
【００５１】
コネクタＯｄは、タイミング制御基板１０ｄから図示しない回路基板へ各種信号を出力する出力部である。コネクタＯｃは、複数のピン（端子）を有する。コネクタＯｃは、図示しないハーネスと接続されることで図示しない回路基板と接続されている。
【００５２】
図３は、コネクタＩＮｂ・Ｏｂの構成を表す図である。なお、コネクタＩＮａ・Ｏａ、ＩＮｃ・Ｏｃ、ＩＮｄ・Ｏｄも、コネクタＩＮｂ・Ｏｂと同様の構成であるため、これらの説明は省略する。また、図３に示すコネクタＩＮｂ・Ｏｂの構成は一例であり、コネクタＩＮｂ・Ｏｂは、図３に示す構成以外にも種々の構成を取りえる。
【００５３】
図３において、コネクタＩＮｂの左側からコネクタＩＮｂへ、ハーネスＨａｂが挿入される。また、コネクタＯｂの右側からコネクタＯｂへ、ハーネスＨｂｃが挿入される。
【００５４】
コネクタＩＮｂは１ピン〜２４ピンの合計２４本からなる複数のピンＩＮｂｐを備えている。図３において、１〜２４が各ピンの番号を表す。コネクタＩｎｂの１ピン〜２４ピンは、順番に並んで平行に配置されている。
【００５５】
コネクタＩｎｂの１ピン〜２４ピンのうち、４ピン〜６ピンを除く、１ピン〜３ピンおよび７ピン〜２４ピンは、図３においてそれぞれの横に記載された各種信号を出力するための信号線と接続されているか、または開放された配線である。
【００５６】
複数のピンＩＮｂｐのうち、図３において破線で囲っている４ピン〜６ピンは、斜め挿し検出用のピンである。複数のピンＩＮｂｐのうち４ピンおよび６ピンは、ハーネスＨａｂが、コネクタＩＮｂに挿し込まれると基板接続信号Ｋｂを斜め挿し検出回路１２ｂへ出力する。
【００５７】
５ピンの入力側は、ハーネスＨａｂを介して、コネクタＯａが有する複数のピンのうち電源Ｖｃｃ１６ａと接続されているピン（コネクタＯａの２０ピン）と接続される。これにより、ハーネスＨａｂがコネクタＩＮｂに挿し込まれると、コネクタＩＮｂの５ピン（第１端子）はＨ（ハイ）レベル（第１判定レベル）の電位に保持される。
【００５８】
５ピンに隣接する４ピン（第２端子）および６ピン（第２端子）それぞれの入力側は、ハーネスＨａｂを介して、コネクタＯａが有する複数のピンのうち、電源Ｖｃｃ１６ａと接続されているピン（コネクタＯａの２０ピン）に隣接し、開放端またはＧＮＤと接続されたピン（２１ピンおよび１９ピン）と接続されている。
【００５９】
複数のピンＩＮｂｐのうち、４ピンは抵抗Ｒ１の一端と接続され、６ピンは抵抗Ｒ２の一端と接続されている。抵抗Ｒ１の他端と、抵抗Ｒ２の他端とは接続されており、さらに、抵抗Ｒ１・Ｒ２の他端は斜め挿し検出回路１２ｂと接続されている。
【００６０】
複数のピンＩＮｂｐが、正常にハーネスＨａｂが有する各ピンと接触すると、４ピンおよび６ピンの両ピンからＬ（ロウ）レベル（第２判定レベル）の基板接続信号Ｋｂが斜め挿し検出回路１２ｂへ出力される。
【００６１】
コネクタＯｂは１ピン〜２４ピンの合計２４本からなる複数のピンＯｂｐを備えている。コネクタＯｂｐの１ピン〜２４ピンは、順番に並んで平行に配置されている。
【００６２】
コネクタＯｂｐの１ピン〜２４ピンのうち、２０ピンを除く、１ピン〜１９ピンおよび２１ピン〜２４ピンは、各種制御信号をコネクタＯｂｐへ入力するための信号線と接続されているか、または未接続の配線である。
【００６３】
複数のピンＯｂｐのうち、図３において破線で囲っている２０ピンは、ハーネスＨｂｃを介してコネクタＩＮｃへ、Ｈレベルの基板接続信号Ｋｃを供給するためのピンである。２０ピンは、電源Ｖｃｃ１６ｂと接続されている。
【００６４】
図４の（ａ）はコネクタＩＮｂの複数のピンＩＮｂｐとハーネスＨａｂが有する複数のピンＨａｂｐとが正常に接続されている様子を表す図であり、（ｂ）は、コネクタＩＮｂの複数のピンＩＮｂｐとハーネスＨａｂが有する複数のピンＨａｂｐとが第１の方向に斜めに接続されている様子を表す図であり、（ｃ）は、コネクタＩＮｂの複数のピンＩＮｂｐとハーネスＨａｂが有する複数のピンＨａｂｐとが第２の方向に斜めに接続されている様子を表す図である。
【００６５】
図４の（ａ）〜（ｃ）では、コネクタＩＮｂおよびハーネスＨａｂのうち、５ピン近傍のピンのみを表している。
【００６６】
図５の（ａ）は、図４の（ａ）に示した接続状態におけるコネクタＩＮｂの４ピン〜６ピンの電位と基板接続信号Ｋｂの信号レベルとの関係を表す図であり、（ｂ）は、図４の（ｂ）に示した接続状態におけるコネクタＩＮｂの４ピン〜６ピンの電位と基板接続信号Ｋｂの信号レベルとの関係を表す図であり、（ｃ）は、図４の（ｃ）に示した接続状態におけるコネクタＩＮｂの４ピン〜６ピンの電位と基板接続信号Ｋｂの信号レベルとの関係を表す図である。
【００６７】
図４の（ａ）に示すように、コネクタＩＮｂに対し、ハーネスＨａｂが真っ直ぐ正常に挿し込まれると、コネクタＩＮｂの複数のピンＩＮｂｐと、ハーネスＨａｂが有する複数のピンＨａｂｐとは、全て一対一で対応して接触する。ハーネスＨａｂの複数のピンＨａｂｐと、コネクタＩＮｂの複数のピンＩＮｂｐのうち、４ピン同士、５ピン同士、６ピン同士は接触している。
【００６８】
ハーネスＨａｂの複数のピンＨａｂｐのうち、５ピンの電位はＨレベル、４ピンおよび６ピンの電位はＬレベルとなっている。
【００６９】
このため、図５の（ａ）に示すように、コネクタＩＮｂの複数のピンＩＮｂｐのうち５ピンの電位はＨレベルとなり、４ピンおよび６ピンの電位はＬレベルとなる。これにより、４ピンおよび６ピンから抵抗Ｒ１・Ｒ２を通じて、Ｌレベルの基板接続信号Ｋｂが斜め挿し検出回路１２ｂへ出力される。
【００７０】
斜め挿し検出回路１２ｂは、Ｌレベルの基板接続信号Ｋｂを取得すると、コネクタＩＮｂに対し、ハーネスＨａｂは真っ直ぐ正常に挿し込まれていることを検出する。
【００７１】
図４の（ｂ）に示すように、コネクタＩＮｂに対し、ハーネスＨａｂが第１の方向に斜め挿しされたとする。第１の方向は、コネクタＩＮｂに対し、ハーネスＨａｂの３ピン側が浅く挿し込まれ、ハーネスＨａｂの３ピン側が相対的に奥まで挿し込まれて傾いた方向である。
【００７２】
このように、コネクタＩＮｂに対し、ハーネスＨａｂが第１の方向に斜め挿しされると、ハーネスＨａｂの５ピンは、コネクタＩＮｂの５ピンだけでなく、コネクタＩＮｂの５ピンに隣接する４ピンとも接触する。
【００７３】
ハーネスＨａｂの複数のピンＨａｂｐのうち、５ピンの電位はＨレベル、４ピンおよび６ピンの電位はＬレベルとなっている。
【００７４】
このため、図５の（ｂ）に示すように、コネクタＩＮｂの複数のピンＩＮｂｐのうち、５ピンおよび４ピンの電位はＨレベル、６ピンの電位はＬレベルとなる。これにより、抵抗Ｒ１・Ｒ２を通じて、Ｈレベルの基板接続信号Ｋｂが斜め挿し検出回路１２ｂへ出力される。
【００７５】
図４の（ｃ）に示すように、コネクタＩＮｂに対し、ハーネスＨａｂが第２の方向に斜め挿しされたとする。第２の方向は、コネクタＩＮｂに対し、ハーネスＨａｂの３ピン側が浅く挿し込まれ、ハーネスＨａｂの７ピン側が相対的に奥まで挿し込まれて傾いた方向である。
【００７６】
このように、コネクタＩＮｂに対し、ハーネスＨａｂが第２の方向に斜め挿しされると、ハーネスＨａｂの５ピンは、コネクタＩＮｂの５ピンだけでなく、コネクタＩＮｂの５ピンに隣接する６ピンとも接触する。
【００７７】
ハーネスＨａｂの複数のピンＨａｂｐのうち、５ピンの電位はＨレベル、４ピンおよび６ピンの電位はＬレベルとなっている。
【００７８】
このため、図５の（ｃ）に示すように、コネクタＩＮｂの複数のピンＩＮｂｐのうち、５ピンおよび６ピンの電位はＨレベル、４ピンの電位はＬレベルとなる。これにより、抵抗Ｒ１・Ｒ２を通じて、Ｈレベルの基板接続信号Ｋｂが斜め挿し検出回路１２ｂへ出力される。
【００７９】
斜め挿し検出回路１２ｂは、Ｈレベルの基板接続信号Ｋｂを取得すると、コネクタＩＮｂに対し、ハーネスＨａｂは斜め挿しされたことを検出する。
【００８０】
（コネクタＦａ１〜Ｆａ１２・Ｆｂ１〜Ｆｂ１２・Ｆｃ１〜Ｆｃ１２・Ｆｄ１〜Ｆｄ１２）
図１に示すように、コネクタＦａ１〜Ｆａ１２・Ｆｂ１〜Ｆｂ１２・Ｆｃ１〜Ｆｃ１２・Ｆｄ１〜Ｆｄ１２は、それぞれ、ハーネスＨａ１〜Ｈａ１２・Ｈｂ１〜Ｈｂ１２・Ｈｃ１〜Ｈｃ１２・Ｈｄ１〜Ｈｄ１２の一端と接続されている。コネクタＦａ１〜Ｆａ１２・Ｆｂ１〜Ｆｂ１２・Ｆｃ１〜Ｆｃ１２・Ｆｄ１〜Ｆｄ１２は、回路基板と表示パネルとを電気的に接続するためのコネクタである。
【００８１】
コネクタＦａ１〜Ｆａ１２は、ハーネスＨａ１〜Ｈａ１２を介して、ソースドライバへＤＳＰ・ＤＣＫなどを出力する。コネクタＦｂ１〜Ｆｂ１２は、ハーネスＨｂ１〜Ｈｂ１２を介して、ソースドライバへＤＳＰ・ＤＣＫなどを出力する。コネクタＦｃ１〜Ｆｃ１２は、ハーネスＨｃ１〜Ｈｃ１２を介して、ソースドライバへＤＳＰ・ＤＣＫなどを出力する。コネクタＦｄ１〜Ｆｄ１２は、ハーネスＨｄ１〜Ｈｄ１２を介して、ソースドライバへＤＳＰ・ＤＣＫなどを出力する。
【００８２】
また、コネクタＦａ１〜Ｆａ１２は、それぞれ、ハーネスＨａ１〜Ｈａ１２が、コネクタＦａ１〜Ｆａ１２に対し真っ直ぐ正常に挿し込まれた状態か、コネクタＦａ１〜Ｆａ１２に対し斜めに挿し込まれた状態（斜め挿し）かを判定するための信号であるパネル接続信号を斜め挿し検出回路１２ａへ出力するための２つのピンを有する。コネクタＦａ１は、パネル接続信号ａ１Ｓ０・ａ１Ｓ１を斜め挿し検出回路１２ａへ出力する。コネクタＦａ１２は、パネル接続信号ａ１２Ｓ０・ａ１２Ｓ１を斜め挿し検出回路１２ａへ出力する。コネクタＦ１ａとコネクタＦ１２ａとの間に配置された１０個のコネクタについても同様である。
【００８３】
コネクタＦｂ１〜Ｆｂ１２は、それぞれ、ハーネスＨｂ１〜Ｈｂ１２が、コネクタＦｂ１〜Ｆｂ１２に対し真っ直ぐ正常に挿し込まれた状態か、コネクタＦｂ１〜Ｆｂ１２に対し斜めに挿し込まれた状態（斜め挿し）かを判定するための信号であるパネル接続信号を斜め挿し検出回路１２ａへ出力するための２つのピンを有する。コネクタＦｂ１は、パネル接続信号ｂ１Ｓ０・ｂ１Ｓ１を斜め挿し検出回路１２ｂへ出力する。コネクタＦｂ１２は、パネル接続信号ｂ１２Ｓ０・ｂ１２Ｓ１を斜め挿し検出回路１２ｂへ出力する。コネクタＦ１ｂとコネクタＦ１２ｂとの間に配置された１０個のコネクタについても同様である。
【００８４】
コネクタＦｃ１〜Ｆｃ１２は、それぞれ、ハーネスＨｃ１〜Ｈｃ１２が、コネクタＦｃ１〜Ｆｃ１２に対し真っ直ぐ正常に挿し込まれた状態か、コネクタＦｃ１〜Ｆｃ１２に対し斜めに挿し込まれた状態（斜め挿し）かを判定するための信号であるパネル接続信号を斜め挿し検出回路１２ｃへ出力するための２つのピンを有する。コネクタＦｃ１は、パネル接続信号ｃ１Ｓ０・ｃ１Ｓ１を斜め挿し検出回路１２ｃへ出力する。コネクタＦｃ１２は、パネル接続信号ｃ１２Ｓ０・ｃ１２Ｓ１を斜め挿し検出回路１２ｃへ出力する。コネクタＦ１ｃとコネクタＦ１２ｃとの間に配置された１０個のコネクタについても同様である。
【００８５】
コネクタＦｄ１〜Ｆｄ１２は、それぞれ、ハーネスＨｄ１〜Ｈｄ１２が、コネクタＦｄ１〜Ｆｄ１２に対し真っ直ぐ正常に挿し込まれた状態か、コネクタＦｄ１〜Ｆｄ１２に対し斜めに挿し込まれた状態（斜め挿し）かを判定するための信号であるパネル接続信号を斜め挿し検出回路１２ｄへ出力するための２つのピンを有する。コネクタＦａｄは、パネル接続信号ｄ１Ｓ０・ｄ１Ｓ１を斜め挿し検出回路１２ｄへ出力する。コネクタＦｄ１２は、パネル接続信号ｄ１２Ｓ０・ｄ１２Ｓ１を斜め挿し検出回路１２ｄへ出力する。コネクタＦ１ｄとコネクタＦ１２ｄとの間に配置された１０個のコネクタについても同様である。
【００８６】
図６は、コネクタＦｂ１の構成を表す図である。図７は、コネクタＦｂ１２の構成を表す図である。なお、コネクタＦ１ｂとコネクタＦ１２ｂとの間に配置された１０個のコネクタおよびコネクタＦａ１〜Ｆａ１２・Ｆｃ１〜Ｆｃ１２・Ｆｄ１〜Ｆｄ１２も、コネクタＦｂ１・Ｆｂ１２と同様の構成であるため、これらの説明は省略する。また、図６に示すコネクタＦｂ１・Ｆｂ１２の構成は一例であり、コネクタＦｂ１・Ｆｂ１２は、図６および図７に示す構成以外にも種々の構成を取りえる。
【００８７】
図６及び図７に示すようにコネクタＦｂ１・Ｆｂ１２は、それぞれ、１ピン〜８０ピンの合計８０本からなる複数のピンＦｂｐを備えている。図６および図７において、１〜８０が各ピンの番号を表す。１ピン〜８０ピンは、順番に並んで平行に配置されている。１ピン〜８０ピンのうち、両端を除く、２ピン〜７９ピンは、各種制御信号を出力するための配線またはＧＮＤに接続するための配線等と接続されている。例えば、７９ピンはＧＮＤと接続されている。７８・７７ピンは各種制御信号の出力配線と接続されている。…６ピン〜２ピンは、ＧＮＤと接続されている。
【００８８】
複数のピンＦｂｐのうち、両端に配置された１ピンおよび８０ピンは、斜め挿し検出用のピンである。１ピンおよび８０ピンは、それぞれ、基板１１ｂに配置された抵抗およびＧＮＤと接続されている。また、１ピンおよび８０ピンは、ハーネスＨｂ１が接続されると、ハーネスＨｂ１を介して表示パネル駆動回路７が有する電源電圧と接続されることで、Ｈ（ハイ）レベル信号が入力される。
【００８９】
複数のピンＦｂｐが、正常にハーネスＨｂ１が有する各ピンと接触すると、１ピンおよび８０ピンからパネル接続信号ｂ１Ｓ０・ｂ１Ｓ１が斜め挿し検出回路１２ｂへ出力される。
【００９０】
図８の（ａ）はコネクタＦｂ１の複数のピンＦｂｐとハーネスＨｂ１が有する複数のピンＨｂｐとが正常に接続されている様子を表す図であり、（ｂ）は、コネクタＦｂ１の複数のピンＦｂｐとハーネスＨｂ１が有する複数のピンＨｂｐとが斜めに接続された場合の８０ピン近傍を表す図であり、（ｃ）は、コネクタＦｂ１の複数のピンＦｂｐとハーネスＨｂ１が有する複数のピンＨｂｐとが斜めに接続された場合の１ピン近傍を表す図である。
【００９１】
図８の（ａ）に示すように、コネクタＦｂ１に対し、ハーネスＨｂ１が真っ直ぐ正常に挿し込まれると、コネクタＦｂ１の複数のピンＦｂｐと、ハーネスＨｂ１が有する複数のピンＨｂｐとは、全て一対一で対応して接触する。すると、コネクタＦｂ１側の複数のピンＦｂｐのうち、両端の１ピンおよび８０ピンの電位は、それぞれ、ハーネスＨｂ１側の１ピンおよび８０ピンと共に電源電圧のレベル（Ｈレベル）となる。そして、複数のピンＦｂｐのうち１ピンおよび８０ピンの両方から、Ｈレベルのパネル接続信号ｂ１Ｓ０・ｂ１Ｓ１が斜め挿し検出回路１２ｂへ出力される。
【００９２】
斜め挿し検出回路１２ｂは、パネル接続信号ｂ１Ｓ０・ｂ１Ｓ１が両方ともＨレベルである場合、コネクタＦｂ１に対し、ハーネスＨｂ１は真っ直ぐ正常に挿し込まれていることを検出する。
【００９３】
図８の（ｂ）（ｃ）に示すように、コネクタＦｂ１に対し、ハーネスＨｂ１が斜め挿しとなったとする。
【００９４】
図８の（ｂ）では、コネクタＦｂ１に対し、ハーネスＨｂ１の８０ピン側が浅く挿し込まれ、ハーネスＨｂ１の１ピン側が相対的に奥まで挿し込まれた状態を表している。図８の（ｂ）では、ハーネスＨｂ１の複数のピンＨｂｐのうち８０ピンと、コネクタＦｂ１の複数のピンＦｂｐのうち８０ピンとが非接触となっている。なお、図示しないが、ハーネスＨｂ１の複数のピンＨｂｐのうち１ピンと、コネクタＦｂ１の複数のピンＦｂｐのうち１ピンとは接触しているものとする。
【００９５】
図８の（ｂ）に示すように、ハーネスＨｂ１の８０ピンと、コネクタＦｂ１の８０ピンとが非接触の場合、コネクタＦｂｐの複数のピンＦｂｐのうち８０ピンの電位はＧＮＤレベルである。このため、複数のピンＦｂｐのうち８０ピンから、Ｌ（ロウ）レベルのパネル接続信号ｂ１Ｓ１が斜め挿し検出回路１２ｂへ出力される。
【００９６】
一方、ハーネスＨｂ１の１ピンと、コネクタＦｂ１の１ピンとが接触している場合、コネクタＦｂｐの複数のピンＦｂｐのうち１ピンの電位は電源電圧レベルである。このため、複数のピンＦｂｐのうち１ピンから、Ｈレベルのパネル接続信号ｂ１Ｓ０が斜め挿し検出回路１２ｂへ出力される。
【００９７】
図８の（ｃ）では、コネクタＦｂ１に対し、ハーネスＨｂ１の１ピン側が浅く挿し込まれ、ハーネスＨｂ１の８０ピン側が相対的に奥まで挿し込まれた状態を表している。図８の（ｃ）では、ハーネスＨｂ１の複数のピンＨｂｐのうち１ピンと、コネクタＦｂ１の複数のピンＦｂｐのうち１ピンとが非接触となっている。なお、図示しないが、ハーネスＨｂ１の複数のピンＨｂｐのうち８０ピンと、コネクタＦｂ１の複数のピンＦｂｐのうち８０ピンとは接触しているものとする。
【００９８】
図８の（ｃ）に示すように、ハーネスＨｂ１の１ピンと、コネクタＦｂ１の１ピンとが非接触の場合、コネクタＦｂｐの複数のピンＦｂｐのうち１ピンの電位はＧＮＤレベルである。このため、複数のピンＦｂｐのうち１ピンから、Ｌレベルのパネル接続信号ｂ１Ｓ０が斜め挿し検出回路１２ｂへ出力される。
【００９９】
一方、ハーネスＨｂ１の１ピンと、コネクタＦｂ１の１ピンとが接触している場合、コネクタＦｂｐの複数のピンＦｂｐのうち８０ピンの電位は電源電圧レベルである。このため、複数のピンＦｂｐのうち８０ピンから、Ｈレベルのパネル接続信号ｂ１Ｓ１が斜め挿し検出回路１２ｂへ出力される。
【０１００】
このように、パネル接続信号ｂ１Ｓ０・ｂ１Ｓ１のうち一方がＨレベルであり、他方がＬレベルである場合、斜め挿し検出回路１２ｂは、コネクタＦｂ１に対し、ハーネスＨｂ１は斜め挿しされていると判定する。
【０１０１】
（斜め挿し検出回路１２ａ〜１２ｄ）
図１に示すように、斜め挿し検出回路１２ａ〜１２ｄは、それぞれ、自身が配置されている基板に配置されているコネクタに対して挿入されたハーネスが斜め挿しとなった場合、当該斜め挿しを検出する。
【０１０２】
斜め挿し検出回路１２ａは、コネクタＦａ１〜Ｆａ１２に対しハーネスＨａ１〜Ｈａ１２が斜め挿しとなると、当該斜め挿しを検出する。なお、斜め挿し検出回路１２ａは、コネクタＩＮａに挿し込まれるハーネスが、コネクタＩＮａに対し斜め挿しなった場合、当該斜め挿しを検出するようにしてもよい。
【０１０３】
斜め挿し検出回路１２ａは、複数の第１の検出部と、第２の検出部とを有する。
【０１０４】
第１の検出部は、コネクタＦａ１〜Ｆａ１２から出力されるパネル接続信号を取得し、当該パネル接続信号に基づいて、コネクタＦａ１〜Ｆａ１２に対するハーネスＨａ１〜Ｈａ１２の斜め挿しの検出結果を含む第１の検出信号を出力する。複数の第１の検出部は、コネクタＦａ１〜Ｆａ１２それぞれに対応して配置されている。
【０１０５】
コネクタＦａ１に対応して設けられた第１の検出部は、コネクタＦａ１から、共にＨレベルのパネル接続信号ａ１Ｓ０・ａ１Ｓ１を取得すると、コネクタＦａ１に対しハーネスＨａ１は真っ直ぐ正常に挿入されている旨の検出結果であるＬレベルの第１の検出信号を第２の検出回路へ出力する。
【０１０６】
上記第１の検出部は、コネクタＦａ１から、少なくとも一方がＬレベルのパネル接続信号ａ１Ｓ０・ａ１Ｓ１を取得すると、コネクタＦａ１に対しハーネスＨａ１は斜め挿しとなっている旨の検出結果であるＨレベルの第１の検出信号を第２の検出回路へ出力する。
【０１０７】
コネクタＦａ１２およびコネクタＦａ１〜Ｆａ１２間に設けられた１０個のコネクタそれぞれに対応して設けられた第１の検出部についても同様である。
【０１０８】
第２の検出部は、各第１の検出部から第１の検出信号を取得すると、コネクタＦａ１〜Ｆａ１２に対するハーネスの斜め挿しの検出結果を含む斜め挿し検出信号ＤＥＴＦａを生成する。そして、第２の検出部は、斜め挿し検出信号ＤＥＴＦａを斜め挿し判定回路１３へ出力する。
【０１０９】
第２の検出部は、各第１の検出部から取得した第１の検出信号のうち何れもＬレベルである場合、各コネクタに対し各ハーネスは真っ直ぐ正常に挿入されている旨の検出結果であるＬレベルの斜め挿し検出信号ＤＥＴＦａを斜め挿し判定回路１３へ出力する。
【０１１０】
第２の検出部は、各第１の検出部から取得した第１の検出信号のうち少なくとも一つがＨレベルである場合、各コネクタに対し各ハーネスの何れかが斜め挿しとなっている旨の検出結果であるＨレベルの斜め挿し検出信号ＤＥＴＦａを斜め挿し判定回路１３へ出力する。
【０１１１】
第１の検出回路および第２の検出回路は、一例として、ＯＲ回路により構成することができる。
【０１１２】
斜め挿し検出回路１２ｂは、コネクタＦｂ１〜Ｆｂ１２に対しハーネスＨｂ１〜Ｈｂ１２が斜め挿しとなると、当該斜め挿しを検出する。斜め挿し検出回路１２ｂは、コネクタＩＮｂに対しハーネスＨａｂが斜め挿しとなると、当該斜め挿しを検出する。
【０１１３】
斜め挿し検出回路１２ｂは、複数の第１の検出部と、第３の検出部とを有する。
【０１１４】
各第１の検出部は、コネクタＦｂ１〜Ｆｂ１２から出力されるパネル接続信号を取得し、当該パネル接続信号に基づいて、コネクタＦｂ１〜Ｆｂ１２に対するハーネスＨｂ１〜Ｈｂ１２の斜め挿しの検出結果を含む第１の検出信号を出力する。複数の第１の検出部は、コネクタＦｂ１〜Ｆｂ１２それぞれに対応して配置されている。
【０１１５】
コネクタＦｂ１に対応して設けられた第１の検出部は、コネクタＦｂ１から、共にＨレベルのパネル接続信号ｂ１Ｓ０・ｂ１Ｓ１を取得すると、コネクタＦｂ１に対しハーネスＨｂ１は真っ直ぐ正常に挿入されている旨の検出結果であるＬレベルの第１の検出信号を第３の検出回路へ出力する。
【０１１６】
上記第１の検出部は、コネクタＦｂ１から、少なくとも一方がＬレベルのパネル接続信号ｂ１Ｓ０・ｂ１Ｓ１を取得すると、コネクタＦｂ１に対しハーネスＨｂ１は斜め挿しとなっている旨の検出結果であるＨレベルの第１の検出信号を第３の検出回路へ出力する。
【０１１７】
コネクタＦｂ１２およびコネクタＦｂ１〜Ｆｂ１２間に設けられた１０個のコネクタそれぞれに対応して設けられた第１の検出部についても同様である。
【０１１８】
第３の検出部は、各第１の検出部から第１の検出信号を取得し、また、コネクタＩＮｂから基板接続信号Ｋｂを取得すると、コネクタＦｂ１〜Ｆｂ１２・ＩＮｂに対するハーネスの斜め挿しの検出結果を含む斜め挿し検出信号ＤＥＴＦｂを生成する。そして、第３の検出部は、斜め挿し検出信号ＤＥＴＦｂを、斜め挿し検出表示部１４ｂに出力すると共に、マスターとして機能するタイミング制御基板１０ａに設けられた斜め挿し判定回路１３へも出力する。
【０１１９】
第３の検出部は、各第１の検出部から取得した第１の検出信号およびコネクタＩＮｂから基板接続信号Ｋｂのうち何れもＬレベルである場合、各コネクタに対し各ハーネスは真っ直ぐ正常に挿入されている旨の検出結果であるＬレベルの斜め挿し検出信号ＤＥＴＦｂを、斜め挿し検出表示部１４ｂおよび斜め挿し判定回路１３へ出力する。
【０１２０】
第３の検出部は、各第１の検出部から取得した第１の検出信号およびコネクタＩＮｂから基板接続信号Ｋｂのうち少なくとも一つがＨレベルである場合、各コネクタに対し各ハーネスの何れかが斜め挿しとなっている旨の検出結果であるＨレベルの斜め挿し検出信号ＤＥＴＦｂを、斜め挿し検出表示部１４ｂおよび斜め挿し判定回路１３へ出力する。
【０１２１】
第１の検出回路および第３の検出回路は、一例として、ＯＲ回路により構成することができる。
【０１２２】
斜め挿し検出回路１２ｃは、コネクタＦｃ１〜Ｆｃ１２に対しハーネスＨｃ１〜Ｈｃ１２が斜め挿しとなると、当該斜め挿しを検出する。斜め挿し検出回路１２ｃは、コネクタＩＮｃに対しハーネスＨａｃが斜め挿しとなると、当該斜め挿しを検出する。
【０１２３】
斜め挿し検出回路１２ｃは、複数の第１の検出部と、第３の検出部とを有する。
【０１２４】
各第１の検出部は、コネクタＦｃ１〜Ｆｃ１２から出力されるパネル接続信号を取得し、当該パネル接続信号に基づいて、コネクタＦｃ１〜Ｆｃ１２に対するハーネスＨｃ１〜Ｈｃ１２の斜め挿しの検出結果を含む第１の検出信号を出力する。複数の第１の検出部は、コネクタＦｃ１〜Ｆｃ１２それぞれに対応して配置されている。
【０１２５】
コネクタＦｃ１に対応して設けられた第１の検出部は、コネクタＦｃ１から、共にＨレベルのパネル接続信号ｃ１Ｓ０・ｃ１Ｓ１を取得すると、コネクタＦｃ１に対しハーネスＨｃ１は真っ直ぐ正常に挿入されている旨の検出結果であるＬレベルの第１の検出信号を第３の検出部へ出力する。
【０１２６】
上記第１の検出部は、コネクタＦｃ１から、少なくとも一方がＬレベルのパネル接続信号ｃ１Ｓ０・ｃ１Ｓ１を取得すると、コネクタＦｃ１に対しハーネスＨｃ１は斜め挿しとなっている旨の検出結果であるＨレベルの第１の検出信号を第３の検出部へ出力する。
【０１２７】
コネクタＦｃ１２およびコネクタＦｃ１〜Ｆｃ１２間に設けられた１０個のコネクタそれぞれに対応して設けられた第１の検出部についても同様である。
【０１２８】
第３の検出部は、各第１の検出部から第１の検出信号を取得し、また、コネクタＩＮｃから基板接続信号Ｋｃを取得すると、コネクタＦｃ１〜Ｆｃ１２・ＩＮｃに対するハーネスの斜め挿しの検出結果を含む斜め挿し検出信号ＤＥＴＦｃを生成する。そして、第３の検出部は、斜め挿し検出信号ＤＥＴＦｃを、斜め挿し検出表示部１４ｃに出力すると共に、斜め挿し判定回路１３へも出力する。
【０１２９】
第３の検出部は、各第１の検出部から取得した第１の検出信号およびコネクタＩＮｃから基板接続信号Ｋｃのうち何れもＬレベルである場合、各コネクタに対し各ハーネスは真っ直ぐ正常に挿入されている旨の検出結果であるＬレベルの斜め挿し検出信号ＤＥＴＦｃを、斜め挿し検出表示部１４ｃおよび斜め挿し判定回路１３へ出力する。
【０１３０】
第３の検出部は、各第１の検出部から取得した第１の検出信号およびコネクタＩＮｃから基板接続信号Ｋｃのうち少なくとも一つがＨレベルである場合、各コネクタに対し各ハーネスの何れかが斜め挿しとなっている旨の検出結果であるＨレベルの斜め挿し検出信号ＤＥＴＦｃを、斜め挿し検出表示部１４ｃおよび斜め挿し判定回路１３へ出力する。
【０１３１】
第１の検出回路および第３の検出回路は、一例として、ＯＲ回路により構成することができる。
【０１３２】
斜め挿し検出回路１２ｄは、コネクタＦｄ１〜Ｆｄ１２に対しハーネスＨｄ１〜Ｈｄ１２が斜め挿しとなると、当該斜め挿しを検出する。斜め挿し検出回路１２ｄは、コネクタＩＮｄに対しハーネスＨｃｄが斜め挿しとなると、当該斜め挿しを検出する。
【０１３３】
斜め挿し検出回路１２ｄは、複数の第１の検出部と、第３の検出部とを有する。
【０１３４】
各第１の検出部は、コネクタＦｄ１〜Ｆｄ１２から出力されるパネル接続信号を取得し、当該パネル接続信号に基づいて、コネクタＦｄ１〜Ｆｄ１２に対するハーネスＨｄ１〜Ｈｄ１２の斜め挿しの検出結果を含む第１の検出信号を出力する。複数の第１の検出部は、コネクタＦｄ１〜Ｆｄ１２それぞれに対応して配置されている。
【０１３５】
コネクタＦｄ１に対応して設けられた第１の検出部は、コネクタＦｄ１から、共にＨレベルのパネル接続信号ｄ１Ｓ０・ｄ１Ｓ１を取得すると、コネクタＦｄ１に対しハーネスＨｄ１は真っ直ぐ正常に挿入されている旨の検出結果であるＬレベルの第１の検出信号を第３の検出部へ出力する。
【０１３６】
上記第１の検出部は、コネクタＦｄ１から、少なくとも一方がＬレベルのパネル接続信号ｄ１Ｓ０・ｄ１Ｓ１を取得すると、コネクタＦｄ１に対しハーネスＨｄ１は斜め挿しとなっている旨の検出結果であるＨレベルの第１の検出信号を第３の検出部へ出力する。
【０１３７】
コネクタＦｄ１２およびコネクタＦｄ１〜Ｆｄ１２間に設けられた１０個のコネクタそれぞれに対応して設けられた第１の検出部についても同様である。
【０１３８】
第３の検出部は、各第１の検出部から第１の検出信号を取得し、また、コネクタＩＮｄから基板接続信号Ｋｄを取得すると、コネクタＦｄ１〜Ｆｄ１２・ＩＮｄに対するハーネスの斜め挿しの検出結果を含む斜め挿し検出信号ＤＥＴＦｄを生成する。そして、第３の検出部は、斜め挿し検出信号ＤＥＴＦｄを、斜め挿し検出表示部１４ｄに出力すると共に、斜め挿し判定回路１３へも出力する。
【０１３９】
第３の検出部は、各第１の検出部から取得した第１の検出信号およびコネクタＩＮｄから基板接続信号Ｋｄのうち何れもＬレベルである場合、各コネクタに対し各ハーネスは真っ直ぐ正常に挿入されている旨の検出結果であるＬレベルの斜め挿し検出信号ＤＥＴＦｄを、斜め挿し検出表示部１４ｄおよび斜め挿し判定回路１３へ出力する。
【０１４０】
第３の検出部は、各第１の検出部から取得した第１の検出信号およびコネクタＩＮｄから基板接続信号Ｋｄのうち少なくとも一つがＨレベルである場合、各コネクタに対し各ハーネスの何れかが斜め挿しとなっている旨の検出結果であるＨレベルの斜め挿し検出信号ＤＥＴＦｄを、斜め挿し検出表示部１４ｄおよび斜め挿し判定回路１３へ出力する。
【０１４１】
第１の検出回路および第３の検出回路は、一例として、ＯＲ回路により構成することができる。
【０１４２】
図９は、斜め挿し検出回路１２ｂのタイミングチャートを表す図である。時刻ｔ１以前の期間では、第３の検出部は、各第１の検出回路からＬレベルの第１の検出信号を取得し、また、コネクタＩＮｄからＬレベルの基板接続信号Ｋｄを取得している。このため、第３の検出部が出力する斜め挿し検出信号ＤＥＴＦｂもＬレベルとなっている。
【０１４３】
時刻ｔ１において、コネクタＦｂ１２に斜め挿しが発生すると、第３の検出部は、コネクタＦｂ１２に対応して配置されている第１の検出部からＨレベルの第１の検出信号を取得する。これにより、時刻ｔ１以降、第３の検出部が出力する斜め挿し検出信号ＤＥＴＦｂはＨレベルとなる。このように、斜め挿し検出回路１２ｂは、コネクタＦｂ１〜Ｆｂ１２・ＩＮｂのうち少なくとも一つに斜め挿しが発生したことを検出する。
【０１４４】
（斜め挿し判定回路１３）
斜め挿し判定回路１３は、斜め挿し検出回路１２ａ〜１２ｄから取得した斜め挿し検出信号ＤＥＴＦａ〜ＤＥＴＦｄに基づいて、各パネル電源供給回路１５ａ〜１５ｄの駆動を制御する。また、斜め挿し判定回路１３は、斜め挿し検出回路１２ａから取得した斜め挿し検出信号ＤＥＴＦａを斜め挿し検出表示部１４ａへ出力する。
【０１４５】
斜め挿し判定回路１３は、斜め挿し検出回路１２ａ〜１２ｄから取得した斜め挿し検出信号ＤＥＴＦａ〜ＤＥＴＦｄの全てがＬレベルである場合、斜め挿しは無いとの判定結果であるＬレベルの斜め挿し有無信号をパネル電源供給回路１５ａ〜１５ｄへ出力する。これにより、各パネル電源供給回路１５ａ〜１５ｄは駆動し、各パネル電源供給回路１５ａ〜１５ｄから表示パネル駆動回路７にパネル電源（駆動電力）が供給され、表示パネルが駆動する。
【０１４６】
斜め挿し判定回路１３は、斜め挿し検出回路１２ａ〜１２ｄから取得した斜め挿し検出信号ＤＥＴＦａ〜ＤＥＴＦｄの何れかがＨレベルである場合、斜め挿しが発生しているとの判定結果であるＨレベルの斜め挿し有無信号をパネル電源供給回路１５ａ〜１５ｄへ出力する。これにより、各パネル電源供給回路１５ａ〜１５ｄは駆動せず、各パネル電源供給回路１５ａ〜１５ｄから表示パネル駆動回路７にパネル電源が供給されない。このため、表示パネルは駆動しない。
【０１４７】
図１０は、斜め挿し判定回路１３およびパネル電源供給回路１５ａ〜１５ｄのタイミングチャートを表す図である。
【０１４８】
時刻ｔ２以前の期間では、斜め挿し判定回路１３は、斜め挿し検出回路１２ａ〜１２ｄからＬレベルの斜め挿し検出信号ＤＥＴＦａ〜ＤＥＴＦｄを取得している。このため、斜め挿し判定回路１３がパネル電源供給回路１５ａ〜１５ｄへ出力している斜め挿し有無信号は、Ｌレベルとなっている。パネル電源供給回路１５ａ〜１５ｄは、それぞれ、パネル電源を表示パネル駆動回路７へ出力している。
【０１４９】
時刻ｔ２において、タイミング制御基板１０ｂに斜め挿しが発生すると、斜め挿し判定回路１３は、斜め挿し検出回路１２ｂからＨレベルの斜め挿し検出信号ＤＥＴＦｂを取得する。これにより、斜め挿し判定回路１３が出力する斜め挿し有無信号はＨレベルとなる。そして、斜め挿し判定回路１３が出力する斜め挿し有無信号がＨレベルとなると、パネル電源供給回路１５ａ〜１５ｄが出力するパネル電源はＬレベルとなり、表示パネル５への電力の供給が停止する。
【０１５０】
このように、斜め挿し判定回路１３は、自己が配置されたマスターとして機能するタイミング制御基板１０ａの斜め挿し検出回路１２ａおよびスレーブとして機能するタイミング制御基板１０ｂ〜１０ｄが備える斜め挿し検出回路１２ｂ〜１２ｄの何れも斜め挿しを検出しないか否かを判定する。
【０１５１】
斜め挿し判定回路１３は、斜め挿し検出回路１２ａ〜１２ｄの何れも斜め挿しを検出しなかった場合、各パネル電源供給回路１５ａ〜１５ｄを駆動させる。また、各斜め挿し検出回路１２ａ〜１２ｄの何れかが斜め挿しを検出した場合、各パネル電源供給回路１５ａ〜１５ｄを駆動させない。
【０１５２】
これにより、タイミング制御基板１０ａ〜１０ｄが備える各コネクタのうち、何れかに斜め挿しが発生した状態にて、各パネル電源供給回路１５ａ〜１５ｄの何れかが駆動してしまうことを防止することができる。これにより、斜め挿しが発生した状態で、各パネル電源供給回路１５ａ〜１５ｄが表示パネル５を駆動させることにより表示パネル５が破損したり、タイミング制御基板１０ａ〜１０ｄの何れかが破損してしまうことを防止することができる。
【０１５３】
（斜め挿し検出表示部１４ａ〜１４ｄ）
図１に示すように、斜め挿し検出表示部１４ａは、斜め挿し判定回路１３から、斜め挿し挿し検出回路１２ａが斜め挿しの検出をした検出結果を含む斜め挿し検出信号ＤＥＴＦａを取得すると、斜め挿し検出信号ＤＥＴＦａに基づいて上記検出結果をユーザに報知する。
【０１５４】
斜め挿し検出表示部１４ｂ〜１４ｄは、斜め挿し挿し検出回路１２ｂ〜１２ｄが斜め挿しの検出をした検出結果を含む斜め挿し検出信号ＤＥＴＦｂ〜ＤＥＴＦｄを、斜め挿し挿し検出回路１２ｂ〜１２ｄから取得すると、斜め挿し検出信号ＤＥＴＦｂ〜ＤＥＴＦｄに基づいて上記検出結果をユーザに報知する。
【０１５５】
斜め挿し検出表示部１４ａ〜１４ｄは、一例として、発光ダイオードからなる。なお、斜め挿し検出表示部１４ａ〜１４ｄは、斜め挿し検出信号ＤＥＴＦｂ〜ＤＥＴＦｄに基づいて上記検出結果をユーザに報知することができればよく、例えば、音声を出力する装置などであってもよい。
【０１５６】
斜め挿し検出表示部１４ａ〜１４ｄは、Ｌレベルの斜め挿し検出信号ＤＥＴＦａ〜ＤＥＴＦｄを取得すると非点灯となる。これにより、斜め挿し検出表示部１４ａ〜１４ｄは、斜め挿しは発生していない旨をユーザに報知する。
【０１５７】
斜め挿し検出表示部１４ａ〜１４ｄは、Ｈレベルの斜め挿し検出信号ＤＥＴＦａ〜ＤＥＴＦｄを取得すると点灯する。これにより、斜め挿し検出表示部１４ａ〜１４ｄは、斜め挿しが発生している旨をユーザに報知する。
【０１５８】
斜め挿し検出表示部１４ａ〜１４ｄは、各基板１１ａ〜１１ｄに配置されているため、ユーザは、どのタイミング制御基板１０ａ〜１０ｄにおいて斜め挿しが発生しているのかを、容易に確認することができる。
【０１５９】
（効果）
このように、表示装置２のタイミング制御基板１０ａ〜１０ｄは、基板１１ａ〜１１ｄに配置された各コネクタに対しハーネスが斜めに挿し込まれている状態である斜め挿しを検出する斜め挿し検出回路１２ａ〜１２ｄを備えている。これにより、各コネクタに対しハーネスが斜め挿しとなっても、斜め挿し検出回路１２ａ〜１２ｄによって、斜め挿しを検出することができる。
【０１６０】
さらに、タイミング制御基板１０ａ〜１０ｄは、斜め挿し検出回路１２ａ〜１２ｄが斜め挿しを検出すると、斜め挿しとなったことを報知する斜め挿し検出表示部１４ａ〜１４ｄを備える。これにより、ユーザは、タイミング制御基板１０ａ〜１０ｄのうち、何れの回路基板におけるコネクタに斜め挿しが発生したのかを、容易に知ることができる。これにより、斜め挿しが放置されることを防止することができる。
【０１６１】
特に、表示装置２は、複数のタイミング制御基板１０ａ〜１０ｄを備える。さらに、各タイミング制御基板１０ａ〜１０ｄそれぞれは、ハーネスが接続される複数のコネクタを備える。このように、表示装置２は多数のコネクタを備えるため、個々のコネクタ毎に、斜め挿しが発生していないか否かをユーザが目視確認することは困難である。
【０１６２】
しかし、表示装置２のタイミング制御基板１０ａ〜１０ｄは、基板１１ａ〜１１ｄに配置された各コネクタに対しハーネスが斜め挿しとなったことを検出する斜め挿し検出回路１２ａ〜１２ｄを備えている。これにより、ユーザは、タイミング制御基板１０ａ〜１０ｄの何れかに斜め挿しが発生したことを、容易に知ることができる。これにより、タイミング制御基板１０ａ〜１０ｄに発生した斜め挿しが放置されることを防止することができる。
【０１６３】
斜め挿し検出表示部１４ａ〜１４ｄは、複数のコネクタのうち少なくとも１つのコネクタが斜め挿しであることを斜め挿し検出回路１２ａ〜１２ｄが検出すると、タイミング制御基板１０ａ〜１０ｄの何れかにおいて斜め挿しが発生したことを報知する。
【０１６４】
これにより、タイミング制御基板１０ａ〜１０ｄそれぞれにおいて複数のコネクタが配置されていても、ユーザは、斜め挿しとなったことを容易に知ることができる。このため、タイミング制御基板１０ａ〜１０ｄそれぞれにおいて、複数のコネクタが配置されていたとしても、斜め挿しが放置されることを確実に防止することができる。
【０１６５】
〔実施形態２〕
本発明の他の実施形態について、図１１〜図１２に基づいて説明すれば、以下のとおりである。なお、説明の便宜上、実施形態１にて説明した部材と同じ機能を有する部材については、同じ符号を付記し、その説明を省略する。
【０１６６】
図１１は、本発明の実施形態２に係る表示装置２Ａの構成を表す図である。表示装置２Ａは、表示装置２（図１参照）が備えていたタイミング制御基板１０ａに換えてタイミング制御基板１０ａＡを備え、さらに、斜め挿し検出表示部（第２報知部）２４を備えている点で、表示装置２と相違する。タイミング制御基板１０ａＡは、タイミング制御基板１０ａ（図１参照）が備えていた斜め挿し判定回路１３に換えて、斜め挿し判定回路１３Ａを備えている点で、タイミング制御基板１０ａと相違する。表示装置２Ａの他の構成は、表示装置２と同様である。
【０１６７】
斜め挿し判定回路１３Ａは、斜め挿し判定回路１３の機能に加え、さらに、斜め挿し検出回路１２ａ〜１２ｄから取得した斜め挿し検出信号ＤＥＴＦａ〜ＤＥＴＦｄに基づいて、斜め挿し検出表示部２４の駆動を制御する。
【０１６８】
斜め挿し判定回路１３Ａは、斜め挿し検出回路１２ａ〜１２ｄから取得した斜め挿し検出信号ＤＥＴＦａ〜ＤＥＴＦｄの全てがＨレベルである場合、斜め挿しは無いとの判定結果であるＬレベルの斜め挿し有無信号をパネル電源供給回路１５ａ〜１５ｄへ出力すると共に、さらに、斜め挿し検出表示部２４へも出力する。
【０１６９】
斜め挿し判定回路１３は、斜め挿し検出回路１２ａ〜１２ｄから取得した斜め挿し検出信号ＤＥＴＦａ〜ＤＥＴＦｄの何れかがＬレベルである場合、斜め挿しが発生しているとの判定結果であるＨレベルの斜め挿し有無信号をパネル電源供給回路１５ａ〜１５ｄへ出力すると共に、さらに、斜め挿し検出表示部２４へも出力する。
【０１７０】
斜め挿し検出表示部２４は、斜め挿し判定回路１３Ａから、斜め挿しの検出結果を含む斜め挿し有無信号を取得すると、当該検出結果をユーザに報知する。
【０１７１】
図１２は、斜め挿し検出表示部２４を備えたテレビジョン受像機１Ａの外観を表す図である。テレビジョン受像機１Ａは、表示装置２に換えて表示装置２Ａを備えている点で、テレビジョン受像機１と相違する。テレビジョン受像機１Ａの他の構成はテレビジョン受像機１と同様である。
【０１７２】
一例として、斜め挿し検出表示部２４は、発光ダイオードからなる。斜め挿し検出表示部２４は、テレビジョン受像機１Ａのうち、外観からユーザが視認できる位置に配置されている。
【０１７３】
斜め挿し検出表示部２４は、テレビジョン受像機１Ａを操作するためのリモコン装置からの赤外線の受光部近傍に配置されていてもよい。斜め挿し検出表示部２４は、テレビジョン受像機１Ａの電源のオンオフを表示するための発光ダイオードと兼用してもよい。
【０１７４】
なお、斜め挿し検出表示部２４は、斜め挿し有無信号に基づいて上記検出結果をユーザに報知することができればよく、例えば、音声を出力する装置などであってもよい。
【０１７５】
このように、テレビジョン受像機１Ａによると、テレビジョン受像機１Ａの製造過程または搬送過程において、コネクタに斜め挿しが発生したとしても、当該斜め挿しが発生したことを斜め挿し検出表示部２４によりユーザに知らせることができる。これにより、テレビジョン受像機１Ａの製造過程または搬送過程において発生した斜め挿しが放置されることを防止することができる。
【０１７６】
〔まとめ〕
本発明の態様１に係る回路基板（タイミング制御基板１０ａ〜１０ｄ・１０ａＡ）は、
基板１１ａ〜１１ｄと、上記基板１１ａ〜１１ｄに配置されたコネクタＩＮａ〜ＩＮｄ・Ｏａ〜Ｏｄ・Ｆａ１〜Ｆａ１２・Ｆｂ１〜Ｆｂ１２・Ｆｃ１〜Ｆｃ１２・Ｆｄ１〜Ｆｄ１２と、上記コネクタＩＮａ〜ＩＮｄ・Ｏａ〜Ｏｄ・Ｆａ１〜Ｆａ１２・Ｆｂ１〜Ｆｂ１２・Ｆｃ１〜Ｆｃ１２・Ｆｄ１〜Ｆｄ１２に対しケーブル（ハーネスＨａｂ・Ｈｂｃ・Ｈｃｄ・Ｈａ１〜Ｈａ１２・Ｈｂ１〜Ｈｂ１２・Ｈｃ１〜Ｈｃ１２・Ｈｄ１〜Ｈｄ１２）が斜めに挿し込まれている状態である斜め挿しを検出する斜め挿し検出部（斜め挿し検出回路１２ａ〜１２ｄ）と、上記斜め挿し検出部（斜め挿し検出回路１２ａ〜１２ｄ）が上記斜め挿しを検出すると、上記斜め挿しとなったことを報知する第１報知部（斜め挿し検出表示部１４ａ〜１４ｄ）とを備える。
【０１７７】
上記構成によると、上記回路基板は、上記基板に配置されたコネクタに対しケーブルが斜めに挿し込まれている状態である斜め挿しを検出する斜め挿し検出部を備えている。これにより、上記コネクタに対し上記ケーブルが斜め挿しとなっても、上記斜め挿し検出部によって、当該斜め挿しを検出することができる。
【０１７８】
さらに、上記回路基板は、上記斜め挿し検出部が上記斜め挿しを検出すると、上記斜め挿しとなったことを報知する第１報知部と備える。これにより、ユーザは、上記コネクタに対し上記ケーブルが斜め挿しとなったことを、容易に知ることができる。これにより、上記斜め挿しが放置されることを防止することができる。
【０１７９】
本発明の態様２に係る回路基板（タイミング制御基板１０ｂ〜１０ｄ）は、上記態様１において、上記コネクタＩＮｂ〜ＩＮｄは、上記ケーブル（ハーネスＨａｂ・Ｈｂｃ・Ｈｃｄ）が挿し込まれたとき、当該ケーブル（ハーネスＨａｂ・Ｈｂｃ・Ｈｃｄ）側の端子と接触する複数の端子を有し、上記複数の端子は、上記斜め挿しを検出するための互いに隣接する第１端子（５ピン）及び第２端子（４ピン・６ピン）を有し、上記ケーブル（ハーネスＨａｂ・Ｈｂｃ・Ｈｃｄ）が挿し込まれたとき上記第１端子（５ピン）は第１判定レベル（Ｈレベル）の電位であり、上記斜め挿し検出部（斜め挿し検出回路１２ｂ〜１２ｄ）は、上記第２端子（４ピン・６ピン）から上記第１判定レベル（Ｈレベル）とは異なる第２判定レベル（Ｌレベル）の信号を取得することで、上記コネクタＩＮｂ〜ＩＮｄに対し上記ケーブル（ハーネスＨａｂ・Ｈｂｃ・Ｈｃｄ）は正常に挿し込まれていることを検出し、上記第２端子（４ピン・６ピン）から上記第１判定レベル（Ｈレベル）の信号を取得することで、上記斜め挿しであることを検出してもよい。
【０１８０】
上記構成によると、上記コネクタは、上記ケーブルが挿し込まれたとき、当該ケーブル側の端子と接触する複数の端子を有し、上記複数の端子は、上記斜め挿しを検出するための互いに隣接する第１端子及び第２端子を有する。また、上記ケーブルが挿し込まれたとき上記第１端子は第１判定レベルの電位となる。
【０１８１】
そして、上記斜め挿し検出部は、上記第１端子に隣接する上記第２端子から、上記第１判定レベルとは異なる第２判定レベルの信号を取得することで、上記コネクタに対し上記ケーブルは正常に挿し込まれていることを検出する。また、上記斜め挿し検出部は、上記第１端子に隣接する上記第２端子から、上記第１判定レベルの信号を取得することで、上記斜め挿しであることを検出する。
【０１８２】
これにより、上記コネクタに対し上記ケーブルが斜め挿しとなっても、上記斜め挿し検出部によって、当該斜め挿しを検出することができる。
【０１８３】
本発明の態様３に係る回路基板（タイミング制御基板１０ｂ〜１０ｄ）は、基板１１ｂ〜１１ｄと、上記基板１１ｂ〜１１ｄに配置され、ケーブル（ハーネスＨａｂ・Ｈｂｃ・Ｈｃｄ）が挿し込まれたとき当該ケーブル（ハーネスＨａｂ・Ｈｂｃ・Ｈｃｄ）側の端子と接触する複数の端子を有するコネクタＩＮｂ〜ＩＮｄと、上記コネクタＩＮｂ〜ＩＮｄに対し上記ケーブル（ハーネスＨａｂ・Ｈｂｃ・Ｈｃｄ）が斜めに挿し込まれている状態である斜め挿しを検出する斜め挿し検出部（斜め挿し検出回路１２ｂ〜１２ｄ）とを備え、上記複数の端子は、上記斜め挿しを検出するための互いに隣接する第１端子（５ピン）及び第２端子（４ピン・６ピン）を有し、上記ケーブル（ハーネスＨａｂ・Ｈｂｃ・Ｈｃｄ）が挿し込まれたとき上記第１端子（５ピン）は第１判定レベル（Ｈレベル）の電位であり、上記斜め挿し検出部（斜め挿し検出回路１２ｂ〜１２ｄ）は、上記第２端子（４ピン・６ピン）から上記第１判定レベル（Ｈレベル）とは異なる第２判定レベル（Ｌレベル）の信号を取得することで、上記コネクタＩＮｂ〜ＩＮｄに対し上記ケーブル（ハーネスＨａｂ・Ｈｂｃ・Ｈｃｄ）は正常に挿し込まれていることを検出し、上記第２端子（４ピン・６ピン）から上記第１判定レベル（Ｈレベル）の信号を取得することで、上記斜め挿しであることを検出する。
【０１８４】
上記構成によると、上記回路基板は、上記基板に配置されたコネクタに対しケーブルが斜めに挿し込まれている状態である斜め挿しを検出する斜め挿し検出部を備えている。
【０１８５】
また、上記コネクタは、上記ケーブルが挿し込まれたとき、当該ケーブル側の端子と接触する複数の端子を有し、上記複数の端子は、上記斜め挿しを検出するための互いに隣接する第１端子及び第２端子を有する。また、上記ケーブルが挿し込まれたとき上記第１端子は第１判定レベルの電位となる。
【０１８６】
そして、上記斜め挿し検出部は、上記第１端子に隣接する上記第２端子から、上記第１判定レベルとは異なる第２判定レベルの信号を取得することで、上記コネクタに対し上記ケーブルは正常に挿し込まれていることを検出する。また、上記斜め挿し検出部は、上記第１端子に隣接する上記第２端子から、上記第１判定レベルの信号を取得することで、上記斜め挿しであることを検出する。
【０１８７】
これにより、上記コネクタに対し上記ケーブルが斜め挿しとなっても、上記斜め挿し検出部によって、当該斜め挿しを検出することができる。
【０１８８】
本発明の態様４に係る回路基板（タイミング制御基板１０ａ〜１０ｄ・１０ａＡ）は、上記態様１又は２において、上記コネクタＩＮａ〜ＩＮｄ・Ｏａ〜Ｏｄ・Ｆａ１〜Ｆａ１２・Ｆｂ１〜Ｆｂ１２・Ｆｃ１〜Ｆｃ１２・Ｆｄ１〜Ｆｄ１２を複数備え、上記第１報知部（斜め挿し検出表示部１４ａ〜１４ｄ）は、上記斜め挿し検出部（斜め挿し検出回路１２ａ〜１２ｄ）が上記複数のコネクタＩＮａ〜ＩＮｄ・Ｏａ〜Ｏｄ・Ｆａ１〜Ｆａ１２・Ｆｂ１〜Ｆｂ１２・Ｆｃ１〜Ｆｃ１２・Ｆｄ１〜Ｆｄ１２のうち少なくとも１つのコネクタが斜め挿しであることを検出すると、上記斜め挿しとなったことを報知することが好ましい。
【０１８９】
上記構成によると、上記斜め挿し検出部が上記複数のコネクタのうち少なくとも１つのコネクタが斜め挿しであることを検出すると、上記第１報知部は、上記斜め挿しとなったことを報知する。これにより、複数のコネクタが配置されていても、ユーザは、斜め挿しとなったことを容易に知ることができる。このため、複数のコネクタが配置されていたとしても、斜め挿しが放置されることを防止することができる。
【０１９０】
本発明の態様５に係る表示装置２・２Ａは、上記態様１、２、４において、上記回路基板（タイミング制御基板１０ａ〜１０ｄ・１０ａＡ）を複数個と、上記各回路基板（タイミング制御基板１０ａ〜１０ｄ・１０ａＡ）により駆動される表示パネル５とを備え、上記各回路基板（タイミング制御基板１０ａ〜１０ｄ・１０ａＡ）において、上記第１報知部（斜め挿し検出表示部１４ａ〜１４ｄ）は上記基板１１ａ〜１１ｄに配置されていることが好ましい。これにより、斜め挿しの放置が防止された表示装置を得ることができる。
【０１９１】
本発明の態様６に係る表示装置２・２Ａは、上記態様３において、上記回路基板（タイミング制御基板１０ａ〜１０ｄ・１０ａＡ）を複数個と、上記各回路基板（タイミング制御基板１０ａ〜１０ｄ・１０ａＡ）により駆動される表示パネル５とを備えていることが好ましい。これにより、斜め挿しの放置が防止された表示装置を得ることができる。
【０１９２】
本発明の態様７に係る表示装置は、上記態様５または６において、上記複数の回路基板（タイミング制御基板１０ａ〜１０ｄ・１０ａＡ）は、それぞれ、上記表示パネル５を駆動するための電源供給回路（パネル電源供給回路１５ａ〜１５ｄ）を備え、上記複数の回路基板（タイミング制御基板１０ａ〜１０ｄ・１０ａＡ）のうち、１つはマスター回路基板（タイミング制御基板１０ａ・１０ａＡ）であり、他はスレーブ回路基板（タイミング制御基板１０ｂ〜１０ｄ）であり、上記マスター回路基板（タイミング制御基板１０ａ・１０ａＡ）は、さらに、自己の上記斜め挿し検出部（斜め挿し検出回路１２ａ）および上記スレーブ回路基板（タイミング制御基板１０ｂ〜１０ｄ）が備える上記斜め挿し検出部（斜め挿し検出回路１２ｂ〜１２ｄ）の何れも斜め挿しを検出しないか否かを判定し、上記各斜め挿し検出部（斜め挿し検出回路１２ａ〜１２ｄ）の何れも斜め挿しを検出しなかった場合、上記各電源供給回路（パネル電源供給回路１５ａ〜１５ｄ）から表示パネル５へ駆動電力を供給させ、上記各斜め挿し検出部（斜め挿し検出回路１２ａ〜１２ｄ）の何れかが斜め挿しを検出した場合、上記各電源供給回路（パネル電源供給回路１５ａ〜１５ｄ）から表示パネル５へ駆動電力を供給させない斜め挿し判定部（斜め挿し判定回路１３・１３Ａ）を備えることが好ましい。
【０１９３】
上記構成によると、上記マスター回路基板は上記斜め挿し判定部を備える。そして、当該斜め挿し判定部は、自己の上記斜め挿し検出部および上記スレーブ回路基板が備える上記斜め挿し検出部の何れも斜め挿しを検出しないか否かを判定し、上記各斜め挿し検出部の何れも斜め挿しを検出しなかった場合、上記各電源供給回路を駆動させ、上記各斜め挿し検出部の何れかが斜め挿しを検出した場合、上記各電源供給回路を駆動させない。
【０１９４】
これにより、上記マスター回路基板、および、上記スレーブ回路基板が備えるコネクタのうち、何れかに斜め挿しが発生した状態にて、上記各電源供給回路の何れかが駆動してしまうことを防止することができる。これにより、斜め挿しが発生した状態で、上記各電源供給回路から上記表示パネルが駆動させることにより当該表示パネルが破損したり、上記マスター回路基板又は上記スレーブ回路基板が破損したりすることを防止することができる。
【０１９５】
本発明の態様８に係るテレビジョン受像機１・１Ａは、上記態様７において、上記表示装置２・２Ａを備えることが好ましい。これにより、斜め挿しの放置が防止されたテレビジョン受像機を得ることができる。
【０１９６】
本発明の態様９に係るテレビジョン受像機１Ａは、上記態様８において、さらに、上記斜め挿し判定部（斜め挿し判定回路１３Ａ）が、上記各斜め挿し検出部（斜め挿し検出回路１２ａ〜１２ｄ）の何れかが斜め挿しを検出したと判定すると、上記斜め挿しとなったことをユーザに対して報知する第２報知部（斜め挿し検出表示部２４）を備えることが好ましい。
【０１９７】
上記構成によると、テレビジョン受像機の製造過程または搬送過程において、コネクタに斜め挿しが発生したとしても、当該斜め挿しが発生したことを上記第２報知部によりユーザに知らせることができる。これにより、テレビジョン受像機の製造過程または搬送過程において発生した斜め挿しが放置されることを防止することができる。
【０１９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１９９】
１・１Ａ  テレビジョン受像機
２・２Ａ  表示装置
５  表示パネル
７  表示パネル駆動回路
１０  タイミング制御部
１０ａ・１０ａＡ  タイミング制御基板（回路基板、マスター回路基板）
１０ｂ〜１０ｄ  タイミング制御基板（回路基板、スレーブ回路基板）
１１ａ〜１１ｄ  基板
１２ａ、１２ｂ、１２ｃ、１２ｄ  斜め挿し検出回路（斜め挿し検出部）
１３・１３Ａ  斜め挿し判定回路（斜め挿し判定部）
１４ａ〜１４ｄ  斜め挿し検出表示部（第１報知部）
１５ａ〜１５ｄ  パネル電源供給回路（電源供給回路）
２４  斜め挿し検出表示部（第２報知部）
Ｆ１２ａ〜Ｆ１２ｄ  コネクタ
Ｆ１ａ〜Ｆ１２ａ  コネクタ
Ｆ１ｂ〜Ｆ１２ｂ  コネクタ
Ｆ１ｃ〜Ｆ１２ｃ  コネクタ
Ｆ１ｄ〜Ｆ１２ｄ  コネクタ
ＩＮａ・Ｏａ  コネクタ
ＩＮｂ・Ｏｂ  コネクタ
ＩＮｃ・Ｏｃ  コネクタ
ＩＮｄ・Ｏｄ  コネクタ
Ｈａｂ・Ｈｂｃ・Ｈｃｄ  ハーネス（ケーブル）
Ｈａ１〜Ｈａ１２  ハーネス（ケーブル）
Ｈｂ１〜Ｈｂ１２  ハーネス（ケーブル）
Ｈｃ１〜Ｈｃ１２  ハーネス（ケーブル）
Ｈｄ１〜Ｈｄ１２  ハーネス（ケーブル）
【図１】
2017084445.tif 000003
【図２】
2017084445.tif 000004
【図３】
2017084445.tif 000005
【図４】
2017084445.tif 000006
【図５】
2017084445.tif 000007
【図６】
2017084445.tif 000008
【図７】
2017084445.tif 000009
【図８】
2017084445.tif 000010
【図９】
2017084445.tif 000011
【図１０】
2017084445.tif 000012
【図１１】
2017084445.tif 000013
【図１２】
2017084445.tif 000014